(57)【要約】【課題】  健康メニューの提供を使用者の日々変化する健康状態に追随して行えるようにする。【解決手段】  操作パネル６には、表示部７、各種の操作スイッチ８〜１２を備えると共に測定部１５を備えている。測定部１５には、健康測定用サーミスタ１６が設けられ、使用者が手で触ることで体温に相当する温度を検出できる。また、他の健康測定機器の測定データを取り込んだり、メモリ１４ａやＩＣカード１４ｂから健康に関する情報を取り込める。プライバシーを保護するために暗証コードを入力することで表示する。健康メニューをそのときの健康状態に対応して提供できる。【選択図】  図１
2005180804.tif 000002
【特許請求の範囲】
【請求項１】
健康状態を測定する測定手段を備えたことを特徴とする電子レンジ。
【請求項２】
請求項１に記載の電子レンジにおいて、
健康に関する情報の入力手段を備えたことを特徴とする電子レンジ。
【請求項３】
請求項２に記載の電子レンジにおいて、
前記入力手段は、使用者が直接操作して健康に関する情報を入力する操作スイッチであることを特徴とする電子レンジ。
【請求項４】
請求項２または３に記載の電子レンジにおいて、
前記入力手段は、携帯型記憶手段に記憶された健康に関する情報を読取可能な読取手段からなることを特徴とする電子レンジ。
【請求項５】
請求項１ないし４のいずれかに記載の電子レンジにおいて、
前記測定手段の測定結果あるいは入力手段から入力された健康に関する情報を記録する記録手段を設けたことを特徴とする電子レンジ。
【請求項６】
請求項１ないし５のいずれかに記載の電子レンジにおいて、
前記測定手段により測定した結果あるいは入力した健康に関する情報を表示する表示手段を備えたことを特徴とする電子レンジ。
【請求項７】
請求項１ないし６のいずれかに記載の電子レンジにおいて、
使用者を確認するための確認手段を備えたことを特徴とする電子レンジ。
【請求項８】
請求項７に記載の電子レンジにおいて、
前記確認手段により使用者が確認された後、前記測定手段による測定を促す表示を前記表示手段により行うことを特徴とする電子レンジ。
【請求項９】
請求項１ないし８のいずれかに記載の電子レンジにおいて、
前記測定手段により測定された使用者の健康状態もしくは入力手段により入力された健康状態に関する情報に対応して推奨される調理メニューを選定してこれを前記表示手段に表示させることを特徴とする電子レンジ。
【請求項１０】
請求項９に記載の電子レンジにおいて、
前記選定した調理メニューについてそのレシピおよびカロリーを前記表示手段に表示させることを特徴とする電子レンジ。
【請求項１１】
請求項９あるいは１０に記載の電子レンジにおいて、
前記選定した調理メニューについて使用する調理手段を前記表示手段に表示させることを特徴とする電子レンジ。
【請求項１２】
請求項９ないし１１のいずれかに記載の電子レンジにおいて、
前記選定した調理メニューについて使用者が摂取したことを前提としてその摂取カロリーを基に推奨される運動条件を前記表示手段に表示可能に構成されていることを特徴とする電子レンジ。
【発明の詳細な説明】
【技術分野】
【０００１】
本発明は、使用者の健康状態に対応した調理メニューを提示することができるようにした電子レンジに関する。
【背景技術】
【０００２】
近年では、電子レンジにおいては、単に食品を加熱する機能だけでなく、調理をする使用者の使い勝手を高めるべくさまざまな機能が設けられてきている。例えば、特許文献１には、使用者の摂取した栄養素を基にして調理メニューを提案するようにした高周波加熱装置が示されている。また、特許文献２には、端末を含むネットワーク内に保存される使用者の健康情報を用いてその使用者に適した調理メニューを提供するようにした調理情報提供システムが示されている。
【特許文献１】特開２００３−１２２８５４号公報
【特許文献２】特開２００２−２６７１６５号公報
【発明の開示】
【発明が解決しようとする課題】
【０００３】
しかしながら、上記した従来のものでは、使用者の健康状態を考慮して調理メニューを提供するものの、使用者の日々変化する健康状態にまでは追随することができない。すなわち、例えば、病院に蓄積される情報は、使用者が通院したときに診断した結果の情報が最新情報として記憶されているものであるから、その最新情報を入力したとしても、日々変化する健康状態として一致するわけではないので、情報が更新されるまでの間は画一的な調理メニューが提供されてしまうことになる。
【０００４】
また、前述した従来構成のものでは、その使用者が摂取すべき必要なカロリー数についても、健康状態の情報に基づいて計算をするので、使用者の消費カロリーの程度には無関係な調理メニューの提供となる。しかし、使用者それぞれで運動量や消費カロリーも異なるので、これらに対応した調理メニューを提供するには至っていない。
さらに、前述した従来構成のもので、ネットワークを利用したものでは、情報をネットワークを通じて取り込むため、ネットワーク上での個人の健康上の情報が漏洩する可能性も生じてくるので、特に他人に知られたくないような情報である場合には却って使いにくい面もある。
【０００５】
本発明は、上記した事情を考慮してなされたもので、その目的は、健康調理メニューの提供を使用者の日々変化する健康状態に追随して行うことができ、また個人差のある消費カロリーにも対応した摂取に必要なカロリー数の調理メニューを提供することができ、さらには、個人の健康上の情報をネットワーク上で漏洩することのないような状態で取り込むようにした電子レンジを提供することにある。
【課題を解決するための手段】
【０００６】
上記の目的を達成するために、本発明の電子レンジは、健康状態を測定する測定手段を備えた構成としたので、使用者が調理メニューの選択をする際にその測定手段を用いて健康状態の測定をすることで、現在の健康状態に対応した調理メニューを選択対象として設定することができるようになる。
また、上記構成において、健康に関する情報の入力手段を備えた構成とすることで、例えば、現在の健康状態に関する情報として最新のものを入力したり、あるいは使用者の通勤やスポートなどで消費する運動量などの情報を入力することで、消費カロリーに相当する情報を入力できるので、これによって、摂取に必要なカロリー数を健康状態に対応して求めて調理メニューを提供することができるようになる。
【０００７】
さらに、上記の健康に関する情報を入力するための入力手段として、携帯型記憶手段に記憶された健康に関する情報を読取可能な読取手段を設けることで、使用者が直接入力することができるので、例えば病院やその他の健康施設などの健康に関する情報を漏洩する危険を冒すことなく取り込むことができるようになる。
【発明の効果】
【０００８】
本発明の電子レンジによれば、使用者の健康状態を測定手段で測定することで、健康調理メニューの提供を使用者の日々変化する健康状態に追随して行うことができ、また健康に関する情報の入力を入力手段により受け付けることで、個人差のある消費カロリーにも対応した摂取に必要なカロリー数の調理メニューを提供することができ、さらには、携帯型記憶手段に記憶した健康に関する情報を入力する読取手段を設けることで個人の健康上の情報をネットワーク上で漏洩することのないような状態で取り込むことができる。
【発明を実施するための最良の形態】
【０００９】
以下、本発明の一実施形態について図面を参照して説明する。
図２は電子レンジ１の全体の外観を示すもので、本体部２の内部には被加熱物を収容する加熱室３が形成されており、この加熱室３に隣接して設けられた機械室にはマイクロ波を出力する加熱手段としてのマグネトロン４が配設されている。本体部２の前面部にはこの加熱室を開閉するための扉５が設けられている。本体部２の前面においてこの扉５の右方には操作パネル６が設けられている。
【００１０】
図３は操作パネル６を詳細に示すもので、上部に表示手段としての液晶表示部７が設けられ、その右側部分に健康メニューを選択したり個人情報を入力するための複数のスイッチからなる操作スイッチ８が設けられている。これらの操作スイッチ８は、押圧操作型のもので、入力手段および確認手段としての機能を兼ね備えるものである。操作パネル６の中間部位には３つのスイッチ９，１０，１１が設けられている。スイッチ９は通常の調理メニューに対して「健康メニュー」を選択するように切り替えるための健康メニューキーである。また、スイッチ１０はスタートキー、スイッチ１１はとりけしキーである。
【００１１】
操作パネル６の左下の部位には、上側に通常の調理メニューの選択や調理についての設定を行うためのスイッチやダイヤルなどの調理キー群１２が設けられ、下側に外部メモリＩ／Ｆ（インターフェース）１３が設けられている。この外部メモリＩ／Ｆ１３には、外部から携帯型記憶手段としてのメモリ１４ａもしくはＩＣカード１４ｂなどを挿入して健康に関する情報を入力することができるようになっている。
【００１２】
また、右下の部位には健康状態の測定部１５が配設されている。この測定部１５には、使用者の体温に相当する温度を測定するための測定手段としての健康測定用サーミスタ１６が設けられると共に、入力手段としての測定データＩ／Ｆ（インターフェース）１７（図１参照）のコネクタ１７ａ，１７ｂが設けられている。この測定データＩ／Ｆ１７ａ，１７ｂは、家庭で用いる各種の健康測定器具例えば血圧計、体重計、体脂肪率測定器、体温計、歩数計、運動量測定器などの測定器１８から測定した健康に関するデータを入力するためのものである（図１参照）。
【００１３】
図４は、健康測定用サーミスタ１６の配設状態を示すもので、操作パネル６部分の縦断側面を示している。操作パネル６の内部には、図示のように２枚のプリント基板１９ａ，１９ｂが設けられており、これらの間はジャンパ線２０で接続されている。前述の健康測定用サーミスタ１６は、操作パネル６の前面部に測定部位が露出するように配置され、リード線１６ａによりプリント基板１９ａに電気的に接続されている。前述の液晶表示部７は、プリント基板１９ａに実装されており、対向する操作パネル６の面には透光窓６ａが設けられていて、表示動作を行うように構成されている。また、プリント基板１９ａの液晶表示部７の実装面と反対の面には電子レンジの機能制御をつかさどるマイクロコンピュータ２１が実装されている。
【００１４】
図１は電気的なブロック構成を示すもので、上述したマイクロコンピュータ２１を中心としてＲＯＭ、ＲＡＭ、Ｉ／Ｏ回路、各種駆動回路などを含んで構成される制御回路２２を主体とした構成となっている。この制御回路２２には、電子レンジの調理機能を実施するための負荷として、前述のマグネトロン４に加えて、他の加熱手段としてのヒータ装置２３、加熱室３内の回転皿を回転させるためのターンテーブルモータ２４が接続されている。また、調理機能以外の負荷として、液晶表示部７、スイッチや電源オン状態などの表示用の発光ダイオード２５、報知用のブザー２６が接続されている。
【００１５】
また、制御回路２２には、調理動作を制御するために必要な各種センサとして、加熱室内の温度を検出するためのオーブン用サーミスタ２７、被加熱物の温度を検出する赤外線温度センサ２８、扉５の開閉状態を検出するための扉開閉センサ２９が接続されると共に、ロータリーエンコーダ３０が接続されると共に、各種スイッチ入力を受け付けるためのスイッチ入力回路３１が接続されている。
【００１６】
ロータリーエンコーダ３０は、前述の調理キー群１２に設けられたダイヤルの回転量に応じたパルスを発生して制御回路２２に入力するためのものであり、制御回路２２においては、入力されたパルス数に応じて時間や温度などの設定をするようになっている。また、スイッチ入力回路３１には、前述の個人情報入力およびメニュー選択のキー８、健康メニューキー９、スタートキー１０、とりけしキー１１、調理キー群１２が接続されている。さらに、制御回路２２には、記録手段としてのメモリ３２が接続されると共に、健康測定用サーミスタ１６の検出信号から温度を検出する温度検出回路３３が接続されている。
【００１７】
加えて、外部から取り込む情報のインターフェースとして、前述した外部メモリＩ／Ｆ１３および測定データＩ／Ｆ１７が制御回路２２に接続されると共に、家庭内の他の機器である例えば冷蔵庫３４、電磁調理器３５あるいは炊飯器３６などの調理器との間で通信を行うことができるようにインターフェース３８を介して家庭内のネットワーク（例えばＬＡＮなど）３７に接続されている。
【００１８】
次に本実施形態の作用について説明する。なお、本実施形態においては、使用者の健康状態に応じて健康メニューを提供することを特徴とした機能を備えており、この点について主として説明し、一般的な電子レンジの調理動作や調理メニューの提供については周知のものとして説明を省略する。
まず、この実施形態において電子レンジ１に対して授受される情報の流れについて、図７を参照して簡単に説明する。前述した構成でも示したように、電子レンジ１は、他の調理手段としての冷蔵庫３４、電磁調理器３５や炊飯器３６とは家庭内のネットワーク３７を介して情報の授受が可能に構成され、また、ガス調理器などのネットワーク３７を介さない調理器との間では例えばメモリ１４ａやＩＣカード１４ｂなどを介して情報の授受が可能である。ここでは、例えば、設定した調理メニューや健康メニューの調理データの授受や各調理器の機能に関する情報を受けることができる。
【００１９】
また、電子レンジ１は、測定部１５に設けた健康測定用サーミスタ１６以外の健康測定器具例えば体重計、体脂肪計、血圧計、歩数計などから測定結果のデータを、メモリ１４ａ、ＩＣカード１４ｂ、ネットワークＩ／Ｆ３８あるいは操作パネル６の測定部１５から取り込むことができる。
さらに、電子レンジ１は、外部の施設からも情報を取り込んだり出力したりすることができる。この場合には、メモリ１４ａやＩＣカード１４ｂなどのネットワークを介さない情報媒体を介して取り込むことにしている。これは、個人の健康に関する種々の情報についてプライバシーの保護をすると共に、現在の最新の情報をインフラ設備を設けることなく簡単に取り込むために利用するものである。
【００２０】
対象となる施設としては、購入する食材に関する情報を提供する食品販売を行うコンビニエンスストアやショッピングセンター、飲食した食事メニューに関する情報を提供する外食産業、実施した運動についての消費運動量などの情報や推奨運動の情報を提供する運動施設、あるいは診療や検査の情報や食品摂取データなどを提供する病院などがある。
図５，６は、使用者が健康メニューキー９を操作したときに実行する制御回路２２が実行するプログラムのフローチャートを示している。通常の調理メニューを選択すべく調理キー群１２のみを操作して設定や実行をする場合は、通常のものと同等であるから、ココでは省略し、健康メニューキー９をオンしたときについて説明する。
【００２１】
健康メニューキー９は、使用者（ユーザ）が現在の健康状態などの情報を入力することで、現在摂取するのに適した調理メニューを健康メニューとして提供するように設定されている。制御回路２２は、まず使用者の確認を行うべくユーザ確認情報入力受付の処理を行う（ステップＳ１）。ここでは、例えば、制御回路２２は、表示部７に暗証コードの入力を促す表示を行い、使用者により操作スイッチ８の操作によりユーザ確認のための暗証コードが入力されるのを待ち、暗証コードが入力されるとユーザ判定処理を行う（ステップＳ２）。暗証コードは、数字や記号などを組み合わせたものとして設定することができるようになっている。
【００２２】
これは、健康状態に関する情報を入力したり表示したりする機能を実行するのに、本人を確認して行うことでプライバシーの保護を図るようにしているものである。なお、家族で使用する場合で、その家族の構成員だけが使用することから、健康状態に関する情報を秘密にする必要がない場合や主婦が一括して情報を管理している場合などにおいては、暗証コードの入力を省略して誰でも見ることができるようにしたり、あるいは特定の人だけが全ての情報を見ることができるように設定したりすることもできる。
【００２３】
使用者により暗証コードが入力されると、制御回路２２は、閲覧可能な使用者であるか否かを判断し（ステップＳ３）、否の場合には再入力もしくはキャンセルを促す画面を表示し、キャンセルされなければ再びステップＳ１〜Ｓ３を繰り返し実行する（ステップＳ４）。また、閲覧可能な使用者が確認されると、制御回路２２は、その使用者の個人情報をメモリ３２から読み出してこれを表示部７に表示させる（ステップＳ５）。
【００２４】
続いて、制御回路２２は、表示部７に健康測定を促す表示を行う（ステップＳ６）。これは、操作パネル６に設けられた健康測定用サーミスタ１６により体温に相当する温度の測定を促すものである。体温測定は、例えば使用者が親指の腹を健康測定用サーミスタ１６の部分に押し付けることで行うことができる。
また、この健康測定を促す表示では、制御回路２２は、他の外部の健康測定機器からも測定結果のデータの入力を受け付けるように表示する。例えば、コネクタ１７ａ，１７ｂなどに直接他の健康測定機器である測定器１８を接続して測定データＩ／Ｆ１７を介して制御回路２２の内部に取り込むことができる。また、健康に関する他の情報も含めて、メモリ１４ａやＩＣカード１４ｂなどに記憶した情報も外部メモリＩ／Ｆ１３に装着することで自動的に取り込むことができるようになっている。
【００２５】
さて、制御回路２２は、上記したようにして測定入力を受け付けると共に（ステップＳ７）、メモリ１４ａやＩＣカード１４ｂにより取り込まれた各種の健康に関する情報を内部のメモリ３２に記録し、この後、今回の健康測定結果及び最近の健康測定結果を表示部７に表示させるようになる（ステップＳ８）。
次に、制御回路２２は、内部に取り込まれた使用者の健康に関する情報に基づいてその健康状態に対応した推奨する健康メニューを、メモリ３２に記憶している多数の健康メニューの中から複数選択する（ステップＳ９）。ここでは、例えば図８に示すような健康メニューが選択される。健康メニューの種類として、例えばダイエットメニュー、高血圧予防メニューおよび風邪予防メニューなどが準備されており、それらの各種類の中から複数の健康メニューが選ばれる。
【００２６】
続いて、現在の健康状態や運動量の消費量などに対応して余剰カロリーを消化するための推奨する運動とその量について算出する（ステップＳ１０）。制御回路２２は、このようにして得られた推奨する健康メニューと推奨運動とを表示部７に表示させる（ステップＳ１１）。なお、上記した健康メニューの選択及び推奨運動の算出については後述するようにして具体的に行われるようになっている。また、推奨運動については、例えば図９に示すような方式で表示されるようになっている。使用者は複数種類の推奨運動の中から所望するものを選んで実行すれば余剰摂取カロリーを消費することができる。
【００２７】
続いて制御回路２２は、表示部７に表示した健康メニューについて、使用者により操作スイッチ８を操作して選択されたか否かを判断する（ステップＳ１２）。ここで、使用者が健康メニューを選択せず、調理キー群１２を操作して通常の調理メニューを選択設定した場合には、通常の調理メニューの処理を実行する（ステップＳ１３）。また、表示部７に表示した健康メニューの一つを選択する操作が操作スイッチ８の操作によりなされた場合には、制御回路２２は、選択された健康メニューのレシピ、カロリー量、使用する調理器具を読み出して表示部７に表示させる（ステップＳ１４）。
【００２８】
表示された内容のうち、使用者が操作スイッチ８を操作することにより、電子レンジ調理が選択され、且つスタートキー１０が操作されて調理スタートになると、制御回路２２は、その健康メニューのレシピに従った調理条件で加熱調理制御を実行するようになる（ステップＳ１７）。また、電子レンジ調理が選択されなかった場合や、調理スタートが実施されなかった場合には、制御回路２２は、使用者により選択された健康メニューとレシピなどのデータをメモリ３２内に記録すると共に、必要に応じて表示部７の表示状態を持続したり、あるいは停止するなどの制御を行う（ステップＳ１８）。
【００２９】
次に、上述の制御回路２２の処理過程における健康メニューの選択処理（ステップＳ９）の内容について詳述する。メモリ３２には、あらかじめ健康メニューのレシピなどの情報が多数記憶されている。健康メニューは、前述のように、例えばダイエットメニュー、高血圧予防メニューおよび風邪予防メニューなどに分類して設定されている。
ダイエットメニューについては、制御回路２２は、次のようにして選択処理を行う。一般的にカロリーを取り過ぎる傾向にあるので、摂取カロリーは、一日当たりの消費カロリー以下となるようにする。すなわち、選択対象となる健康メニューの摂取カロリー（Ａ）が、一日当たりの基礎代謝量（Ｂ）と一日当たりの活動量（Ｃ）の和である一日当たりの消費カロリー（Ｄ）よりも少なく、且つ一日当たりの基礎代謝量（Ｂ）よりも多くなるように設定する。基礎代謝量（Ｂ）は、年齢、性別、身長、体重などの情報を入力しておくことにより、一般的な計算式を用いて平均的な基礎代謝量を求めることができる。また、活動量（Ｃ）は、使用者による運動量などの情報が入力されることで算出することができる。さらに、摂取カロリー（Ａ）は、下限として基礎代謝量（Ｂ）以上とすることで健康維持ができるようにしている。
【００３０】
上記の条件を式で示すと、次式のようになる。
摂取カロリー（Ａ）  ＜  一日当たりの消費カロリー（Ｃ）              …（１）
一日当たりの消費カロリー（Ｃ）＝基礎代謝量（Ｂ）＋活動量（Ｄ）
摂取カロリー（Ａ）  ＞  一日当たりの基礎代謝量（Ｂ）                …（２）
また、体脂肪率（Ｅ）が体脂肪率の標準値（Ｆ）を上回っている場合（次式）にもダイエットメニューを選択する。この場合には、メモリ３２に記録されている情報や使用者が入力した情報に基づいて一日当たりに摂取するカロリーを試算し、これに基づいて適切なダイエットメニューを提示する。
【００３１】
体脂肪率（Ｅ）  ＞  体脂肪率の標準値（Ｆ）                          …（３）
次に、高血圧予防メニューについては、使用者により入力される血圧の測定結果のデータ（Ｐａ）が標準血圧（Ｐｓ）よりも高い場合にこれを選択して提示する。この条件を式で示すと、
使用者の血圧（Ｐａ）  ＞  標準血圧（Ｐｓ）                          …（４）
となる。
【００３２】
また、風邪予防メニューについては、例えば使用者が測定して入力された体温のデータ（Ｔａ）が平常時の体温（Ｔｓ）より高い場合にはこれを選択して定時する。この条件を式で示すと、
使用者の体温（Ｔａ）  ＞  平常時の体温（Ｔｓ）                      …（５）
となる。
【００３３】
上記の処理結果から、制御回路２２は、条件の範囲内で該当する健康メニューを選択して図８に示すような各種メニューを得る。これらのデータを必要に応じて表示部７に表示させることで使用者に健康メニューを提供することができる。また、このようにして提示した健康メニューについて、使用者が所望の健康メニューを選択すると、選択した健康メニューを選択したことを記憶させることができ、これによって、食品摂取に関する情報の履歴も得ることができるようになる。
【００３４】
このような本実施形態によれば、操作パネル６に測定部１５を設け、使用者の体温に相当する温度を測定したり他の健康機器からのデータを入力したり、メモリ１４ａやＩＣカード１４ｂによる外部データについても取り込むことができるように構成したので、その場で健康状態の情報を得ることができると共に、他の健康情報についても最も新しい情報として取り込むことができ、しかも外部からデータを取り込む場合も秘匿性に優れたものとすることができる。また、使用者の運動量の情報を入力することで、個人差のある状況にも対応して的確な健康メニューの提示をすることができるようになる。
【００３５】
また、個人情報入力の操作スイッチ８を設けて暗証コードを入力することでデータの表示を可能としたので、個人の健康に関する情報を秘匿性を高めてその本人のみに表示させることができ、使用者に対して情報の漏れなどの心配をなくして安心して使用することができるものとすることができる。
【００３６】
本発明は、上記実施例にのみ限定されるものではなく、次のように変形または拡張できる。
上記実施形態においては、個人の特定をするのに暗証コードを操作スイッチ８により入力するようにしているが、これに代えて、例えば指紋や声紋を利用して特定することもできるし、あるいはＩＣカードによるＩＤの確認で特定するようにすることもできる。また、これらの特定手段を複合的に使用したり、変形することも可能である。
健康器具として上述したもの以外に、骨量測定装置や心拍計あるいは他の機器の情報を取り込むこともできる。
【００３７】
健康メニューや通常の調理メニューの提示において、その使用者が使用可能な調理器具をあらかじめ登録しておくことで、登録されている調理器具を使用して調理することができるメニューの範囲に絞り込んで選択するようにすることもできる。これにより、調理できないメニューが表示されることがなくなり、使い勝手が向上するようになる。
また、登録した調理器具のうち、ネットワーク３７を利用して調理条件の転送が可能な場合には、自動的に調理条件を転送するようにしても良い。
【図面の簡単な説明】
【００３８】
【図１】本発明の一実施形態を示す電気的構成のブロック図
【図２】外観斜視図
【図３】操作パネルの正面図
【図４】操作パネルの縦断側面図
【図５】制御プログラムのフローチャート（その１）
【図６】制御プログラムのフローチャート（その２）
【図７】情報の流れの状態を示す作用説明図
【図８】健康メニューの表示例を示す図
【図９】推奨運動の表示例を示す図
【符号の説明】
【００３９】
図面中、７は表示部（表示手段）、８は操作スイッチ（入力手段、確認手段）、９は健康メニューキー、１３は外部メモリＩ／Ｆ（入力手段、読取手段）、１４ａはメモリ（携帯型記憶手段）、１４ｂはＩＣカード（携帯型記憶手段）、１５は測定部、１６は健康測定用サーミスタ（測定手段）、１７は測定データＩ／Ｆ（入力手段）、１８は測定器、２２は制御回路、３２はメモリ（記録手段）、３３は温度検出回路、３７はネットワーク、３８はネットワークＩ／Ｆである。
【図１】
2005180804.tif 000003
【図２】
2005180804.tif 000004
【図３】
2005180804.tif 000005
【図４】
2005180804.tif 000006
【図５】
2005180804.tif 000007
【図６】
2005180804.tif 000008
【図７】
2005180804.tif 000009
【図８】
2005180804.tif 000010
【図９】
2005180804.tif 000011